(57)【要約】【課題】１種類の規制部材で回転ケースと固定ケースの仮止めと固定を達成することができ、製造コストの低減が可能な回転コネクタを提供すること。【解決手段】互いに回転自在に組み付けられ、内部に環状の空間Ｓを形成する回転ケース２及び固定ケース３と、帯状伝送線６と、両ケースの相対回転を規制する規制部材７とを有する回転コネクタ１。規制部材７は、一方のケースに設けた挿通部４ｂに抜き差し自在に挿通される挿通片７ａと、挿通部に装着可能で、中間に薄肉部７ｃが形成されると共に、薄肉部と先端との間に、挿通部に設けた係合部４ｃと係合するロック部７ｄが設けられた固定片７ｂと、挿通片を挿通部に挿通したときに、他方のケースに設けた係止部２ｃと係合して両ケースの相対回転を規制する第１の規制部７ｅと、固定片を挿通部に装着したときに、係止部と係合して両ケースの相対回転を規制する第２の規制部７ｇとを備えている。【選択図】        図３
2005327575.tif 000002
【特許請求の範囲】
【請求項１】
互いに回転自在に組み付けられ、内部に環状の空間を形成する回転ケース及び固定ケースと、
渦巻き状に巻回されて前記環状の空間に収容される可撓性を有する帯状伝送線と、
前記両ケース間に跨って取り付けられ、両ケースの相対回転を規制する規制部材と、
を有し、前記帯状伝送線の巻き締まり、巻き緩みによって前記回転ケースの固定ケースに対する回転を許容する回転コネクタにおいて、
前記規制部材は、
前記一方のケースに設けた挿通部に抜き差し自在に挿通される挿通片と、
前記挿通部に装着可能で、中間に薄肉部が形成されると共に、前記薄肉部と先端との間に、前記挿通部に設けた係合部と係合するロック部が設けられた固定片と、
前記挿通片を前記挿通部に挿通したときに、前記他方のケースに設けた係止部と係合して前記両ケースの相対回転を規制する第１の規制部と、
前記固定片を前記挿通部に装着したときに、前記係止部と係合して前記両ケースの相対回転を規制する第２の規制部と、
を備え、前記挿通部に前記挿通片を挿通或いは前記固定片を装着することにより、前記第１の規制部或いは前記第２の規制部が前記係止部と係合し、前記回転ケースと前記固定ケースとの相対回転を仮止め或いは固定することを特徴とする回転コネクタ。
【請求項２】
更に、前記規制部材は、前記挿通片と前記固定片との間に引き抜き操作用の指を係止して引き抜き操作を行う指掛け係止部が設けられていることを特徴とする請求項１に記載の回転コネクタ。
【請求項３】
互いに回転自在に組み付けられ、内部に環状の空間を形成する回転ケース及び固定ケースと、
渦巻き状に巻回されて前記環状の空間に収容される可撓性を有する帯状伝送線と、
前記両ケース間に跨って取り付けられ、両ケースの相対回転を規制する規制部材と、
を有し、前記帯状伝送線の巻き締まり、巻き緩みによって前記回転ケースの固定ケースに対する回転を許容する回転コネクタにおいて、
前記規制部材は、規制ピンと、前記規制ピンと着脱自在に組み付けられる中間部材とを有し、
前記規制ピンは、
前記一方のケースに設けた挿通部に装着可能で、中間に薄肉部が形成されると共に、前記薄肉部と先端との間に、前記挿通部に設けた係合部と係合するロック部が設けられた固定片と、
前記固定片を前記挿通部に装着したときに、前記他方のケースに設けた前記係止部と係合して前記両ケースの相対回転を規制する規制部と、
を備え、
前記中間部材は、前記係止部と係合する第１係合部と、前記規制部が係合する第２係合部とを有し、
前記規制ピンと前記中間部材とを組み付けて前記固定片を前記挿通部に装着すると、前記ロック部が前記挿通部に設けた係合部と係合することなく前記第１係合部が前記他方のケースに設けた前記係止部と係合して前記両ケースの相対回転が仮止めされ、
前記規制ピンと前記中間部材との組み付けを解除して前記固定片を前記挿通部に直接装着すると、前記挿通部に設けた前記係合部と前記ロック部とが係合すると共に、前記規制部が前記他方のケースに設けた前記係止部と係合して前記両ケースの相対回転が固定されることを特徴とする回転コネクタ。
【請求項４】
前記規制部は、前記固定片の端部に設けられ、引き抜き操作用の指を係止して引き抜き操作を行う指掛け係止部に設けられていることを特徴とする請求項３に記載の回転コネクタ。
【請求項５】
前記中間部材は、連結部によって前記規制部材と連結されていることを特徴とする請求項３又は４に記載の回転コネクタ。
【発明の詳細な説明】
【技術分野】
【０００１】
本発明は、回転コネクタに関する。
【背景技術】
【０００２】
従来、回転コネクタは、限定された回転回数の範囲内で相対的に回転する回転部材と固定部材との間で電気信号、光信号或いは電力等を伝送するためのコネクタ装置として使用されている。この回転コネクタは、互いに回転自在に組み付けられる回転ケースと固定ケース内に形成される環状の空間内に渦巻状に巻回した可撓性を有するフラットケーブルを収容したもので、フラットケーブルの巻き締まりや巻き緩みによって回転ケースの固定ケースに対する回転を許容している。
【０００３】
この回転コネクタは、製造後、左右方向へ同一回数の回転が確保されるように、フラットケーブルを巻き締まり、巻き緩みの中立位置に調整し、回転ケースと固定ケースとが回転しないように固定している（例えば、特許文献１，２参照）。
【０００４】
【特許文献１】実開平３−３９２８４号公報
【特許文献２】実開平５−４５９７７号公報
【発明の開示】
【発明が解決しようとする課題】
【０００５】
ところで、回転コネクタは複数の客先を介して納入されることがあり、このような場合、回転ケースと固定ケースとの回転を規制する際、従来は、例えば、仮止めピンで仮止めし、第一次客先に回転コネクタを出荷する。第一次客先は、入荷した回転コネクタから仮止めピンを外して回転機能検査を行った後、再び中立位置に調整し、回転ケースと固定ケースとを仮止めピンとは異なる別の固定ピンで固定し、第二次客先に出荷している。このため、従来の回転コネクタは、回転ケースと固定ケースとの仮止めと固定に仮止めピンと固定ピンの２種類を使用しなければならず、部品管理に手間が掛かるうえ、仮止めピンと固定ピンとの使い分けに伴って作業性が悪くなるという問題があり、２種類のピンを用いる分、回転コネクタの製造コストが増加するという問題があった。
【０００６】
本発明は、上記の問題点に鑑みてなされたものであって、１種類の規制部材で回転ケースと固定ケースの仮止めと固定を達成することができ、製造コストの低減が可能な回転コネクタを提供することを目的とする。
【課題を解決するための手段】
【０００７】
上述した課題を解決し、目的を達成するために、本発明の回転コネクタは、互いに回転自在に組み付けられ、内部に環状の空間を形成する回転ケース及び固定ケースと、渦巻き状に巻回されて前記環状の空間に収容される可撓性を有する帯状伝送線と、前記両ケース間に跨って取り付けられ、両ケースの相対回転を規制する規制部材と、を有し、前記帯状伝送線の巻き締まり、巻き緩みによって前記回転ケースの固定ケースに対する回転を許容する回転コネクタにおいて、前記規制部材は、前記一方のケースに設けた挿通部に抜き差し自在に挿通される挿通片と、前記挿通部に装着可能で、中間に薄肉部が形成されると共に、前記薄肉部と先端との間に、前記挿通部に設けた係合部と係合するロック部が設けられた固定片と、前記挿通片を前記挿通部に挿通したときに、前記他方のケースに設けた係止部と係合して前記両ケースの相対回転を規制する第１の規制部と、前記固定片を前記挿通部に装着したときに、前記係止部と係合して前記両ケースの相対回転を規制する第２の規制部と、を備え、前記挿通部に前記挿通片を挿通或いは前記固定片を装着することにより、前記第１の規制部或いは前記第２の規制部が前記係止部と係合し、前記回転ケースと前記固定ケースとの相対回転を仮止め或いは固定することを特徴とする。
【０００８】
また、上述した課題を解決し、目的を達成するために、本発明の回転コネクタは、互いに回転自在に組み付けられ、内部に環状の空間を形成する回転ケース及び固定ケースと、渦巻き状に巻回されて前記環状の空間に収容される可撓性を有する帯状伝送線と、前記両ケース間に跨って取り付けられ、両ケースの相対回転を規制する規制部材と、を有し、前記帯状伝送線の巻き締まり、巻き緩みによって前記回転ケースの固定ケースに対する回転を許容する回転コネクタにおいて、前記規制部材は、規制ピンと、前記規制ピンと着脱自在に組み付けられる中間部材とを有し、前記規制ピンは、前記一方のケースに設けた挿通部に装着可能で、中間に薄肉部が形成されると共に、前記薄肉部と先端との間に、前記挿通部に設けた係合部と係合するロック部が設けられた固定片と、前記固定片を前記挿通部に装着したときに、前記他方のケースに設けた前記係止部と係合して前記両ケースの相対回転を規制する規制部と、を備え、前記中間部材は、前記係止部と係合する第１係合部と、前記規制部が係合する第２係合部とを有し、前記規制ピンと前記中間部材とを組み付けて前記固定片を前記挿通部に装着すると、前記ロック部が前記挿通部に設けた係合部と係合することなく前記第１係合部が前記他方のケースに設けた前記係止部と係合して前記両ケースの相対回転が仮止めされ、前記規制ピンと前記中間部材との組み付けを解除して前記固定片を前記挿通部に直接装着すると、前記挿通部に設けた前記係合部と前記ロック部とが係合すると共に、前記規制部が前記他方のケースに設けた前記係止部と係合して前記両ケースの相対回転が固定されることを特徴とする。
【０００９】
請求項１及び請求項３の発明によれば、１種類の規制部材によって回転ケースと固定ケースの仮止めと固定を達成し、製造コストを低減した回転コネクタが提供される。
【００１０】
また、請求項２に係る回転コネクタは、上記の発明において、更に、前記規制部材は、前記挿通片と前記固定片との間に引き抜き操作用の指を係止して引き抜き操作を行う指掛け係止部が設けられていることを特徴とする。
【００１１】
また、請求項４に係る回転コネクタは、上記の発明において、前記規制部は、前記固定片の端部に設けられ、引き抜き操作用の指を係止して引き抜き操作を行う指掛け係止部に設けられていることを特徴とする。
【００１２】
また、請求項５に係る回転コネクタは、上記の発明において、前記中間部材は、連結部によって前記規制部材と連結されていることを特徴とする。
【発明の効果】
【００１３】
本発明の回転コネクタは、回転ケースと固定ケースの仮止めと固定を１種類の規制部材で達成することができ、製造コストを低減することができるという効果を奏する。
【発明を実施するための最良の形態】
【００１４】
以下に、本発明の回転コネクタに係る実施の形態を、図面を参照して詳細に説明する。
【００１５】
（実施の形態１）
図１は、本発明に係る回転コネクタの実施の形態１を示す斜視図である。図２は、図１に示す回転コネクタの挿通部と係止部とを通る線で切断した断面図である。図３は、回転コネクタに回転ケースと固定ケースとの回転を規制する規制ピンを挿通する様子を示す斜視図である。
【００１６】
回転コネクタ１は、図１及び図２に示すように、互いに回転自在に組み付けられ、内部に環状の空間を形成する回転ケース２と固定ケース３、可撓性を有し、渦巻き状に巻回されて前記環状の空間に収容されるフラットケーブル６を有している。回転コネクタ１は、ケース２，３に跨って取り付けられる規制ピン７（図３参照）によって両ケース２，３の相対回転が規制され、例えば、中立位置を維持することができる。
【００１７】
回転ケース２は、図１及び図２に示すように、内筒軸部２ａと上フランジ２ｂを有している。上フランジ２ｂは、外周に係止凹部２ｃが形成され、係止凹部２ｃと直径方向に対向する位置には、外部機器のコネクタと接続される接続部２ｄが設けられている。
【００１８】
固定ケース３は、図１及び図２に示すように、外筒４とベース５を有し、回転ケース２と回転自在に組み付けられて内部に環状の空間Ｓを形成する。外筒４は、上フランジ２ｂの外縁と係合する筒状の部材であり、外面には外部機器のコネクタと接続される接続部４ａが設けられている。接続部４ａは、凹部２ｃと対向する位置に挿通孔４ｂが設けられている。挿通孔４ｂは、図２に示すように、内部に係合部４ｃが形成されている。ベース５は、外筒４と係合されて回転ケース２及び外筒４の下部に配置されている。
【００１９】
フラットケーブル６は、電気信号、光信号或いは電力等を伝送する可撓性を有する帯状伝送線で、例えば、並行に配列した平角状の複数の電気導体が絶縁体で被覆されている。フラットケーブル６は、渦巻き状に巻回して両ケース２，３によって形成される環状の空間Ｓに収容され、巻回した内端が回転ケース２に、外端が固定ケース３に、それぞれ固定されている。ここで、フラットケーブル６は、電気導体と光ファイバとを複数並行に配列し、絶縁体で被覆したものを使用してもよい。また、フラットケーブル６は、中間部に略Ｕ字状の折返し部を形成して渦巻き状に巻回して環状の空間Ｓに収容するようにしてもよい。
【００２０】
規制ピン７は、互いに回転自在に組み付けられる回転ケース２と固定ケース３の相対回転を規制する合成樹脂製の部材であり、図３〜図４−３に示すように、挿通片７ａと、固定片７ｂと、係止リング７ｆを有している。挿通片７ａは、板状に成形され、挿通孔４ｂに抜き差し自在に挿通される。固定片７ｂは、挿通片７ａに対して直交させて配置され、中間に薄肉部７ｃが形成されると共に、薄肉部７ｃと先端との間に、挿通孔４ｂに設けた係合部４ｃと係合する凹溝状のロック部７ｄが設けられている。また、固定片７ｂは、挿通片７ａ側に、係止凹部２ｃと係合し、第１の規制部となる規制突起７ｅが設けられている。係止リング７ｆは、挿通片７ａと固定片７ｂとの間の交差部に設けられ、固定片７ｂ側には、係止凹部２ｃと係合し、第２の規制部となる規制突起７ｇが設けられている。
【００２１】
回転コネクタ１は、内端を回転ケース２に、外端を固定ケース３に、それぞれ固定して渦巻き状に巻回したフラットケーブル６を回転ケース２と固定ケース３とによって形成される環状の空間Ｓに収容し、両ケース２，３を組み付けて製造される。このとき、回転コネクタ１は、回転ケース２が固定ケース３に対して左右方向へ同じ回数だけ回転することができるように、フラットケーブル６を巻き締まりと巻き緩みの中立位置に調整する。そして、この調整した中立位置が維持されるように、回転コネクタ１は、図３に示すように、挿通孔４ｂに規制ピン７の挿通片７ａを挿通する。これにより、回転コネクタ１は、挿通片７ａが挿通孔４ｂに挿通されるのに伴って、図５に示すように、規制突起７ｅが回転ケース２の係止凹部２ｃに係合し、中立位置が保持された状態で回転ケース２と固定ケース３との相対回転が規制される。
【００２２】
但し、規制ピン７は、係止リング７ｆに指を掛けたり、係止リング７ｆを持ったりして引っ張ることにより、挿通片７ａは挿通孔４ｂから簡単に引き抜かれ、規制突起７ｅと係止凹部２ｃとの係合が解除される。このため、回転コネクタ１は、挿通片７ａを挿通孔４ｂに挿通することによって、回転ケース２と固定ケース３とが仮止めされた状態となる。回転コネクタ１は、この仮止め状態で第一次客先に出荷される。
【００２３】
このようにして出荷された回転コネクタ１は、第一次客先において挿通片７ａを挿通孔４ｂから引き抜いて、回転機能検査を含む所定の検査が行われた後、再び中立位置に調整される。そして、回転コネクタ１は、図６に示すように、挿通孔４ｂに規制ピン７の固定片７ｂが装着される。これにより、回転コネクタ１は、図７に示すように、ロック部７ｄが係合部４ｃと係合すると共に、規制突起７ｇが係止凹部２ｃに係合し、中立位置が保持された状態で回転ケース２と固定ケース３との相対回転が固定される。このように、回転コネクタ１は、中立位置に再調整し、挿通孔４ｂに固定片７ｂを装着した固定状態にして、第二次客先に出荷される。そして、第二次客先は、係止リング７ｆに指を掛けて引っ張ることによって、図８に示すように、固定片７ｂを薄肉部７ｃで破断して回転ケース２と固定ケース３の固定を解除した後、例えば自動車等に回転コネクタ１を組み付ける。これにより、回転コネクタ１は、フラットケーブル６が中立位置に保持された状態で自動車等に組み付けることができる。このとき、薄肉部７ｃで破断された規制ピン７の係止リング７ｆ側は廃棄される。
【００２４】
ここで、回転コネクタ１は、挿通孔４ｂに固定片７ｂが装着されると、ロック部７ｄと係合部４ｃとの係合は解除できない。このため、回転コネクタ１は、通常の取り扱いをする限り、固定片７ｂが挿通孔４ｂから外れることはない。但し、無理に固定片７ｂを挿通孔４ｂから引き抜こうとすると、図８に示すように、固定片７ｂが薄肉部７ｃで破断され、ロック部７ｄが係合部４ｃと係合している固定片７ｂの先端側が挿通孔４ｂに残留してしまう。このため、第二次客先は、挿通孔４ｂに固定片７ｂの断片が残留しているか否かで、回転コネクタ１の組立て後における故意による固定解除の有無や、両ケース２，３が相対回転されてフラットケーブル６の中立位置が故意にずらされてしまうような、回転コネクタ１に対するいたずら等の不正行為が行われたか否かを外観から簡単に判断することができる。
【００２５】
従って、回転コネクタ１は、流通段階における不正行為の有無を車両等への組付時等を含め、事前に外観に基づいて簡単に判断することができるので、信頼性が高まる。また、本発明の回転コネクタ１は、回転ケース２と固定ケース３の仮止めと固定を１種類の規制ピン７によって達成することができ、製造コストを低減することができる。
【００２６】
また、規制ピンは、挿通片，固定片及び第１及び第２の規制部を有していれば、規制ピン７に限定されるものではない。例えば、図９−１及び図９−２に示す規制ピン８のように、互いに直交配置される挿通片８ａと固定片８ｂが、係止リング８ｆを介して連結され、係止リング８ｆの外周に挿通片８ａ及び固定片８ｂに対して平行に突出する規制突起８ｅ，８ｇが設けられているように構成してもよい。このとき、固定片８ｂは、中間に薄肉部８ｃが形成されると共に、薄肉部８ｃと先端との間に、挿通孔４ｂに設けた係合部４ｃと係合する凹溝状のロック部８ｄが設けられている。これにより、規制ピン８は、規制ピン７と同様に、回転ケース２と固定ケース３とを仮止めしたり、固定したりすることができるうえ、固定片７ｂが薄肉部７ｃで破断されているか否かによって、回転コネクタ１に対するいたずら等の不正行為が行われたか否かを外観で判断することができる。
【００２７】
また、図１０に示す規制ピン９のように、挿通片９ａと固定片９ｂとを直線上に配置すると共に、挿通片９ａと固定片９ｂとの間に係止リング９ｆを直交する方向に突設し、係止リング９ｆに挿通片９ａ及び固定片９ｂに対して平行に突出する規制突起９ｅ，９ｇを設ける。そして、固定片９ｂは、中間に薄肉部９ｃを形成し、薄肉部９ｃと先端との間に、挿通孔４ｂに設けた係合部４ｃと係合する凹溝状のロック部９ｄを設ける。これにより、規制ピン９は、挿通片９ａと固定片９ｂを使い分けることによって、規制ピン７，８と同様の機能を発揮することができる。
【００２８】
（実施の形態２）
次に、本発明に係る回転コネクタの実施の形態２を説明する。実施の形態１の回転コネクタは、挿通片と固定片とを有する規制ピンを用いて回転ケース２と固定ケース３との相対回転を規制した。これに対して、実施の形態２の回転コネクタは、挿通片を有さず、固定片のみを有する規制ピンと中間部材とを用いた規制部材によって回転ケース２と固定ケース３の仮止めと固定を行い、中立位置を保持している。図１１は、実施の形態２で用いる規制ピンと中間部材の側面図である。図１２は、図１１に示す規制ピンと中間部材の組み付け方を示す斜視図である。
【００２９】
実施の形態２の回転コネクタは、規制部材１０として規制ピン１１と、規制ピン１１と着脱自在に組み付けられる中間部材１２とを有し、共に合成樹脂製から成形されている。
【００３０】
規制ピン１１は、図１１及び図１２に示すように、固定片１１ａと、係止リング１１ｂを有している。固定片１１ａは、中間に薄肉部１１ｃが形成されると共に、薄肉部１１ｃと先端との間に、挿通孔４ｂに設けた係合部４ｃと係合する凹溝状のロック部１１ｄが設けられている。また、係止リング１１ｂは、固定片１１ａと直交する直交片１１ｅに固定片１１ａと並行に突出する規制突起１１ｆが設けられている。
【００３１】
中間部材１２は、規制ピン１１と着脱自在に組み付けて規制部材１０を構成し、図１１及び図１２に示すように、本体１２ａと、本体１２ａの側部から立ち上がり本体１２ａの上部を覆うカバー片１２ｂとを有している。本体１２ａは、規制ピン１１と中間部材１２とを組み付けた状態で固定片１１ａを挿通孔４ｂに挿通したときに、ロック部１１ｄと係合部４ｃとの係合を阻害する厚さに設定されている。そして、本体１２ａは、下面に回転ケース２の係止凹部２ｃに係合する係合突起１２ｃが設けられ、上面には規制ピン１１の規制突起１１ｆが係合する係合凹部１２ｄが幅方向に形成されている。中間部材１２は、図１２に示すように、本体１２ａとカバー片１２ｂとの間に規制ピン１１の直交片１１ｅを挿着して規制ピン１１と着脱自在に組み付けられる。
【００３２】
規制部材１０を用いて回転コネクタ１を仮止めするときは、規制ピン１１と中間部材１２とを組み付けた状態で、固定片１１ａを外筒４の挿通孔４ｂに挿通する。すると、回転コネクタ１は、図１３に示すように、中間部材１２の係合突起１２ｃが回転ケース２に設けた係止凹部２ｃと係合し、両ケース２，３の相対回転が仮止めされる。このとき、回転コネクタ１は、図１３に示すように、固定片１１ａの先端が係合部４ｃに乗り上げてロック部１１ｄが挿通孔４ｂに設けた係合部４ｃと係合しないので、両ケース２，３の相対回転が固定されずに仮止めされる。
【００３３】
一方、回転コネクタ１を固定するときは、規制部材１０から中間部材１２を外して規制ピン１１単独とし、固定片１１ａを挿通孔４ｂに直接装着する。すると、回転コネクタ１は、図１４に示すように、ロック部１１ｄが挿通孔４ｂに設けた係合部４ｃと係合すると共に、規制突起１１ｆが回転ケース２に設けた係止凹部２ｃと係合し、両ケース２，３の相対回転が固定される。
【００３４】
そして、回転コネクタ１は、自動車等に組み付けるときに、係止リング１１ｂに指を掛けて引っ張ることにより、図１５に示すように、規制ピン１１を薄肉部１１ｃで破断すればよい。このとき、規制部材１０から外した中間部材１２は、規制ピン１１と異なって何ら破断等による損傷を受けていないので、再利用することができ、回転コネクタ１のコストを低減することができる。
【００３５】
このように、実施の形態２の回転コネクタ１は、１種類の規制部材で回転ケースと固定ケースの仮止めと固定を達成することができ、製造コストが低減されるという実施の形態１の回転コネクタにおける効果に加え、中間部材１２を再利用することによって更にコストダウンが図れるという効果を奏する。
【００３６】
ここで、中間部材は、図１６及び図１７に示す中間部材１４のように、本体１４ａの長手方向一側に規制ピン１１の固定片１１ａを挿通する挿通溝１４ｂを設けると共に、本体１４ａの下面に回転ケース２の係止凹部２ｃに係合する係合突起１４ｃを設け、上面に規制ピン１１の規制突起１１ｆが係合する係合凹部１４ｄを設けてもよい。このとき、本体１４ａは、中間部材１２と同様に、規制ピン１１と中間部材１４とを組み付けた状態で固定片１１ａを挿通孔４ｂに挿通したときに、ロック部１１ｄと係合部４ｃとの係合を阻害する厚さに設定する。そして、中間部材１４は、図１７に示すように、固定片１１ａを挿通溝１４ｂに挿通する共に、規制突起１１ｆを係合凹部１４ｄに係合させて規制ピン１１と着脱自在に組み付けられ、規制部材１０を構成する。
【００３７】
このようにして規制ピン１１と中間部材１４とを組み付けられた規制部材１０を用いて回転コネクタ１を仮止めするときは、固定片１１ａを挿通孔４ｂに挿通する。すると、回転コネクタ１は、図１８に示すように、ロック部１１ｄが挿通孔４ｂに設けた係合部４ｃと係合することなく中間部材１４の係合突起１４ｃが回転ケース２に設けた係止凹部２ｃと係合し、両ケース２，３の相対回転が仮止めされる。
【００３８】
一方、回転コネクタ１を固定するときは、規制ピン１１から中間部材１４を外し、固定片１１ａを挿通孔４ｂに直接装着する。すると、回転コネクタ１は、図１４に示したように、ロック部１１ｄが挿通孔４ｂに設けた係合部４ｃと係合すると共に、規制突起１１ｆが回転ケース２に設けた係止凹部２ｃと係合し、両ケース２，３の相対回転が固定される。そして、自動車等に組み付けるとき、回転コネクタ１は、係止リング１１ｂに指を掛けて引っ張り、規制ピン１１を薄肉部１１ｃで破断すればよい。
【００３９】
また、中間部材は、図１９及び図２０に示す中間部材１６のように、連結部１６ｄによって規制ピン１１と連結し、本体１６ａの下面に回転ケース２の係止凹部２ｃに係合する係合突起１６ｂを設け、上面に規制ピン１１の規制突起１１ｆが係合する段状の係合凹部１６ｃを設けた構成としてもよい。このとき、本体１６ａは、中間部材１４の本体１４ａと同様の機能を発揮する厚さに設定する。
【００４０】
そして、規制突起１１ｆを係合凹部１６ｃに係合させて規制ピン１１と中間部材１６とを組み付けた規制部材１０を用いて回転コネクタ１を仮止めするときは、固定片１１ａを挿通孔４ｂに挿通する。すると、回転コネクタ１は、図２１に示すように、ロック部１１ｄが挿通孔４ｂに設けた係合部４ｃと係合することなく中間部材１４の係合突起１４ｃが回転ケース２に設けた係止凹部２ｃと係合し、両ケース２，３の相対回転が仮止めされる。
【００４１】
一方、回転コネクタ１を固定するときは、規制ピン１１から中間部材１６を外し、固定片１１ａを挿通孔４ｂに直接装着する。すると、回転コネクタ１は、ロック部１１ｄが挿通孔４ｂに設けた係合部４ｃと係合すると共に、規制突起１１ｆが回転ケース２に設けた係止凹部２ｃと係合し、両ケース２，３の相対回転が固定される。そして、自動車等に組み付けるとき、回転コネクタ１は、係止リング１１ｂに指を掛けて引っ張り、規制ピン１１を薄肉部１１ｃで破断すればよい。
【００４２】
このように、規制ピン１１と中間部材１６とを連結部１６ｄによって連結した規制部材１０にすると、中間部材１６が紛失することがなくなり、規制部材１０の部品管理が容易になる。
【００４３】
尚、上記実施の形態においては、回転コネクタ１は、回転ケース２に係止部となる係止凹部２ｃを、固定ケース３を構成する外筒４に挿通部となる挿通孔４ｂを、それぞれ設けた。しかし、本発明の回転コネクタは、回転ケース２に挿通部を、固定ケース３に係止部を設けてもよい。
【００４４】
また、互いに係合して両ケースの相対回転を規制する規制部及び係止部として上記実施の形態においては、規制突起と係止凹部を使用した。しかし、規制部及び係止部としては、回転ケース２の上フランジ２ｂに周方向に所定間隔を２つの突起を設け、２つの突起間に固定片７ｂや係止リング７ｆ或いは直交片１１ｅを配置することによって回転ケース２と固定ケース３との相対回転を規制するようにしてもよい。
【産業上の利用可能性】
【００４５】
以上のように、本発明にかかる回転コネクタは、１種類の規制部材で回転ケースと固定ケースの仮止めと固定を達成し、回転コネクタの信頼性を高めるのに有用である。
【図面の簡単な説明】
【００４６】
【図１】本発明に係る回転コネクタの実施の形態１を示す斜視図である。
【図２】図１に示す回転コネクタの挿通部と形止部とを通る線で切断した断面図である。
【図３】回転コネクタに回転ケースと固定ケースとの回転を規制する規制ピンを挿通する様子を示す斜視図である。
【図４−１】規制ピンを第１の方向から見た斜視図である。
【図４−２】規制ピンを第２の方向から見た斜視図である。
【図４−３】規制ピンの正面図である。
【図５】規制ピンの挿通片を挿通孔に挿通し、回転ケースと固定ケースとを仮止めした状態の図２に対応した断面図である。
【図６】規制ピンの固定片を挿通孔に装着する際の図２に対応した断面図である。
【図７】規制ピンの固定片を挿通孔に装着し、回転ケースと固定ケースとを固定した状態の図２に対応した断面図である。
【図８】固定片を挿通孔から引き抜こうとして規制ピンが薄肉部で破断された状態を示す図２に対応した断面図である。
【図９−１】規制ピンの第１の変形例を示す斜視図である。
【図９−２】図９−１に示す規制ピンの正面図である。
【図１０】規制ピンの第２の変形例を示す正面図である。
【図１１】実施の形態２で用いる規制部材を構成する規制ピンと中間部材の側面図である。
【図１２】図１１に示す規制ピンと中間部材の組み付け方を示す斜視図である。
【図１３】図１１に示す規制ピンと中間部材とを組み付け、規制ピンの固定片を挿通孔に挿通すると共に、中間部材の規制突起が回転ケースの係止凹部に係合し、回転ケースと固定ケースとが仮止めされた状態の図２に対応した断面図である。
【図１４】中間部材を外し、規制ピンの固定片を挿通孔に装着し、回転ケースと固定ケースとを固定した状態の図２に対応した断面図である。
【図１５】固定片を挿通孔から引き抜こうとして規制ピンが薄肉部で破断された状態を示す図２に対応した断面図である。
【図１６】中間部材の第１の変形例を規制ピンと共に示した斜視図である。
【図１７】図１６に示す中間部材と規制ピンの側面図である。
【図１８】図１６に示す規制ピンと中間部材とを組み付け、規制ピンの固定片を挿通孔に挿通すると共に、中間部材の規制突起が回転ケースの係止凹部に係合し、回転ケースと固定ケースとが仮止めされた状態の図２に対応した断面図である。
【図１９】規制ピンと連結された中間部材の第２の変形例を示す側面図である。
【図２０】図１９に示す中間部材と規制ピンの斜視図である。
【図２１】中間部材と連結された規制ピンの固定片を挿通孔に挿通すると共に、中間部材の規制突起が回転ケースの係止凹部に係合し、回転ケースと固定ケースとが仮止めされた状態の図２に対応した断面図である。
【符号の説明】
【００４７】
１            回転コネクタ
２            回転ケース
２ａ          内筒軸部
２ｂ          上フランジ
２ｃ          係止凹部
３            固定ケース
４            外筒
４ｂ          挿通孔
５            ベース
６            フラットケーブル
７            規制ピン
７ａ          挿通片
７ｂ          固定片
７ｆ          係止リング
７ｃ          薄肉部
７ｄ          ロック部
７ｅ          規制突起
７ｆ          係止リング
７ｇ          規制突起
８，９        規制ピン
８ａ，９ａ    挿通片
８ｂ，９ｂ    固定片
８ｃ，９ｃ    薄肉部
８ｄ，９ｄ    ロック部
８ｅ，９ｅ    規制突起
８ｆ，９ｆ    係止リング
８ｇ，９ｇ    規制突起
１０          規制部材
１１          規制ピン
１１ａ        固定片
１１ｂ        係止リング
１１ｃ        薄肉部
１１ｄ        ロック部
１１ｅ        直交片
１１ｆ        規制突起
１２          中間部材
１２ａ        本体
１２ｂ        カバー片
１２ｃ        係合突起
１２ｄ        係合凹部
１４          中間部材
１４ａ        本体
１４ｂ        挿通溝
１４ｃ        係合突起
１４ｄ        係合凹部
１６          中間部材
１６ｄ        連結部
１６ａ        本体
１６ｂ        係合突起
１６ｃ        係合凹部
Ｓ            環状の空間
【図１】
2005327575.tif 000003
【図２】
2005327575.tif 000004
【図３】
2005327575.tif 000005
【図４−１】
2005327575.tif 000006
【図４−２】
2005327575.tif 000007
【図４−３】
2005327575.tif 000008
【図５】
2005327575.tif 000009
【図６】
2005327575.tif 000010
【図７】
2005327575.tif 000011
【図８】
2005327575.tif 000012
【図９−１】
2005327575.tif 000013
【図９−２】
2005327575.tif 000014
【図１０】
2005327575.tif 000015
【図１１】
2005327575.tif 000016
【図１２】
2005327575.tif 000017
【図１３】
2005327575.tif 000018
【図１４】
2005327575.tif 000019
【図１５】
2005327575.tif 000020
【図１６】
2005327575.tif 000021
【図１７】
2005327575.tif 000022
【図１８】
2005327575.tif 000023
【図１９】
2005327575.tif 000024
【図２０】
2005327575.tif 000025
【図２１】
2005327575.tif 000026